(57)【要約】【課題】編集済みの画像と編集前の画像の中から好みの画像を容易に選択することができるようにする。【解決手段】本技術を適用した情報処理装置は、外部の装置から送信された、撮影画像と、撮影画像に編集を施すことによって得られた編集済み画像とを受信し、撮影画像のサムネイル画像と編集済み画像のサムネイル画像とが混在して並べられた画面を携帯端末に表示させる。本技術は、撮影した画像をシール紙に印刷する一連のゲームを提供する写真作成ゲーム機によって作成された画像を管理して利用者に提供するサーバに適用することができる。【選択図】図９
2019213110.tif 000002
【特許請求の範囲】
【請求項１】
外部の装置から送信された、撮影画像と、前記撮影画像に編集を施すことによって得られた編集済み画像とを受信する受信部と、
前記撮影画像のサムネイル画像と前記編集済み画像のサムネイル画像とが混在して並べられた画面を携帯端末に表示させる表示制御部と
を備える情報処理装置。
【請求項２】
前記表示制御部は、前記撮影画像のサムネイル画像と前記編集済み画像のサムネイル画像とが混在して並べられた第１の表示と、前記撮影画像のサムネイル画像または前記編集済み画像のサムネイル画像が並べられた第２の表示とを切り替えて前記携帯端末に表示させる
請求項１に記載の情報処理装置。
【請求項３】
前記表示制御部は、プルダウンを用いた前記携帯端末の利用者の選択に応じて、前記第１の表示と前記第２の表示とを切り替える
請求項２に記載の情報処理装置。
【請求項４】
前記表示制御部は、ボタンを用いた前記携帯端末の利用者の選択に応じて、前記第１の表示と前記第２の表示とを切り替える
請求項２に記載の情報処理装置。
【請求項５】
前記第１の表示には、前記撮影画像のサムネイル画像と前記編集済み画像のサムネイル画像とが複数枚ずつ含まれる
請求項２乃至４のいずれかに記載の情報処理装置。
【請求項６】
前記外部の装置は、利用者を撮影し、前記利用者が写る前記撮影画像に対して前記利用者の操作に応じた編集を施すゲームを前記利用者に提供する装置であり、
前記第１の表示には、複数回の前記ゲームによって得られた前記撮影画像と前記編集済み画像とが含まれる
請求項２乃至５のいずれかに記載の情報処理装置。
【請求項７】
前記携帯端末からの要求に応じて、前記撮影画像と前記編集済み画像とのうちの少なくともいずれかを提供する提供部をさらに備える
請求項１乃至６のいずれかに記載の情報処理装置。
【請求項８】
情報処理装置が、
外部の装置から送信された、撮影画像と、前記撮影画像に編集を施すことによって得られた編集済み画像とを受信し、
前記撮影画像のサムネイル画像と前記編集済み画像のサムネイル画像とが混在して並べられた画面を携帯端末に表示させる
情報処理方法。
【請求項９】
コンピュータに、
外部の装置から送信された、撮影画像と、前記撮影画像に編集を施すことによって得られた編集済み画像とを受信し、
前記撮影画像のサムネイル画像と前記編集済み画像のサムネイル画像とが混在して並べられた画面を携帯端末に表示させる
処理を実行させるプログラム。
【請求項１０】
外部の装置から送信された、撮影画像と、前記撮影画像に編集を施すことによって得られた編集済み画像とを受信して管理する情報処理装置から送信されてきた情報に基づいて、前記撮影画像のサムネイル画像と前記編集済み画像のサムネイル画像とが混在して並べられた画面を表示させる表示制御部を備える
携帯端末。
【請求項１１】
携帯端末が、
外部の装置から送信された、撮影画像と、前記撮影画像に編集を施すことによって得られた編集済み画像とを受信して管理する情報処理装置から送信されてきた情報に基づいて、前記撮影画像のサムネイル画像と前記編集済み画像のサムネイル画像とが混在して並べられた画面を表示させる
情報処理方法。
【請求項１２】
コンピュータに、
外部の装置から送信された、撮影画像と、前記撮影画像に編集を施すことによって得られた編集済み画像とを受信して管理する情報処理装置から送信されてきた情報に基づいて、前記撮影画像のサムネイル画像と前記編集済み画像のサムネイル画像とが混在して並べられた画面を表示させる
処理を実行させるプログラム。
【発明の詳細な説明】
【技術分野】
【０００１】
本技術は、情報処理装置、携帯端末、情報処理方法、およびプログラムに関し、特に、編集済みの画像と編集前の画像の中から好みの画像を容易に選択することができるようにした情報処理装置、携帯端末、情報処理方法、およびプログラムに関する。
【背景技術】
【０００２】
従来、写真シール作成装置が知られている。写真シール作成装置は、利用者を撮影し、撮影画像に対して利用者に編集を行わせ、編集後の画像をシール紙に印刷して提供するものである。写真シール作成装置は遊戯施設などに設置される。
【０００３】
写真シール作成装置が提供する１ゲームの流れは、通常、撮影空間内にいる利用者を被写体として撮影を行った後、利用者を編集空間に移動させ、編集空間内で行われる操作に従って画像を編集して、編集済みの画像をシール紙に印刷するものとなる。
【０００４】
ところで、写真シール作成装置のゲームにおいて作成した画像を、印刷物としてではなく、画像データとして利用者に提供する会員制のサービスがある。このサービスによれば、ゲームを行った利用者は、スマートフォンなどの携帯端末を操作して画像取得サイトにアクセスし、ゲームで作成した画像を携帯端末にダウンロードすることができる。
【０００５】
近年の傾向としては、Webブラウザ上でサービスを利用するのではなく、携帯端末にインストールしたアプリケーション上でサービスを利用するようになっている。
【０００６】
特許文献１には、落書きあり画像と落書きなし画像の両方の画像を写真シール機から画像管理サーバに送信し、落書きあり画像と落書きなし画像のいずれかの画像を利用者に提供するシステムが記載されている。利用者は、サーバにアクセスしたときに表示される画面上に設けられたボタンを押下することにより、同じ画像の落書きありのものと落書きなしのものを切り替えて表示させることができる。
【先行技術文献】
【特許文献】
【０００７】
【特許文献１】特開２０１５−１１５７６８号公報
【発明の概要】
【発明が解決しようとする課題】
【０００８】
特許文献１に記載された画面表示によれば、ボタンを押下する毎に、落書きあり画像の表示と落書きなし画像の表示が切り替わるため、両方の画像を同時に表示させて見比べることができない。
【０００９】
本技術はこのような状況に鑑みてなされたものであり、編集済みの画像と編集前の画像の中から好みの画像を容易に選択することができるようにするものである。
【課題を解決するための手段】
【００１０】
本技術の第１の側面の情報処理装置は、外部の装置から送信された、撮影画像と、前記撮影画像に編集を施すことによって得られた編集済み画像とを受信する受信部と、前記撮影画像のサムネイル画像と前記編集済み画像のサムネイル画像とが混在して並べられた画面を携帯端末に表示させる表示制御部とを備える情報処理装置である。
【００１１】
本技術の第２の側面の携帯端末は、外部の装置から送信された、撮影画像と、前記撮影画像に編集を施すことによって得られた編集済み画像とを受信して管理する情報処理装置から送信されてきた情報に基づいて、前記撮影画像のサムネイル画像と前記編集済み画像のサムネイル画像とが混在して並べられた画面を表示させる表示制御部を備える携帯端末である。
【００１２】
本技術の第１の側面においては、外部の装置から送信された、撮影画像と、前記撮影画像に編集を施すことによって得られた編集済み画像とが受信され、前記撮影画像のサムネイル画像と前記編集済み画像のサムネイル画像とが混在して並べられた画面を携帯端末に表示させるための処理が行われる。
【００１３】
本技術の第２の側面においては、外部の装置から送信された、撮影画像と、前記撮影画像に編集を施すことによって得られた編集済み画像とを受信して管理する情報処理装置から送信されてきた情報に基づいて、前記撮影画像のサムネイル画像と前記編集済み画像のサムネイル画像とが混在して並べられた画面が表示される。
【発明の効果】
【００１４】
本技術によれば、利用者は、編集済みの画像と編集前の画像の中から好みの画像を容易に選択することができる。
【図面の簡単な説明】
【００１５】
【図１】本技術の一実施形態に係る画像提供システムの構成例を示す図である。
【図２】写真シール作成装置において生成される画像の例を示す図である。
【図３】写真シール作成装置から画像管理サーバに送信される画像の例を示す図である。
【図４】マイページ画面の表示例を示す図である。
【図５】サムネイル画像の並びを模式的に示す図である。
【図６】落書きあり画像の拡大表示の例を示す図である。
【図７】落書きなし画像の拡大表示の例を示す図である。
【図８】マイページ画面の表示の切り替えの第１の例を示す図である。
【図９】マイページ画面の表示の切り替えの第２の例を示す図である。
【図１０】マイページ画面の表示の切り替えの第３の例を示す図である。
【図１１】マイページ画面の表示の切り替えの第４の例を示す図である。
【図１２】マイページ画面の表示の切り替えの第５の例を示す図である。
【図１３】マイページ画面の表示の切り替えの第６の例を示す図である。
【図１４】画像管理サーバのハードウェア構成例を示すブロック図である。
【図１５】画像管理サーバの機能構成例を示すブロック図である。
【図１６】画像管理サーバの処理を説明するフローチャートである。
【図１７】携帯端末の構成例を示すブロック図である。
【発明を実施するための形態】
【００１６】
＜＜画像提供システムについて＞＞
図１は、本技術の一実施形態に係る画像提供システムの構成例を示す図である。
【００１７】
図１の画像提供システムは、画像管理サーバ１、写真シール作成装置２、および携帯端末３が、インターネット１１を介して接続されることによって構成される。
【００１８】
図１の例においては、写真シール作成装置２が１台しか示されていないが、実際には、同じメーカーが販売する複数台の写真シール作成装置２が設けられる。携帯端末３についても、例えば写真シール作成装置２を利用した利用者の数だけ設けられる。
【００１９】
写真シール作成装置２は、写真作成ゲームを提供するゲーム機である。写真シール作成装置２は、ゲームセンターなどのアミューズメント施設や店舗に設置される。
【００２０】
写真シール作成装置２の利用者は、主に女子高生や若い女性が中心とされる。写真シール作成装置２において、１組あたり主に２人や３人などの複数人の利用者がゲームを楽しむことができる。もちろん、写真シール作成装置２において、１人の利用者がゲームを楽しむこともできる。
【００２１】
写真シール作成装置２において、利用者は、自身が被写体となって撮影作業を行う。利用者は、撮影作業によって得られた撮影画像に対して、手書きの文字やスタンプ画像などの合成用画像を合成させるための編集作業を行い、撮影画像を彩り豊かな画像に編集する。利用者は、編集済みの画像である編集画像が印刷されたシール紙を受け取って一連のゲームを終了させる。
【００２２】
写真シール作成装置２には、写真シール作成装置２の全体の動作を制御するPC、利用者を撮影するカメラ、カメラで撮影することによって得られた撮影画像の編集を行うために利用者により用いられる編集用モニタ、画像をシール紙に印刷するプリンタなどが設けられる。写真シール作成装置２の構成の詳細については、例えば特開２０１８−６４２２０号に開示されている。
【００２３】
例えば編集用モニタには、各種の編集ツールの選択に用いられるボタンなどが用意された編集画面が表示される。利用者は、編集画面の表示を例えばタッチペンなどを用いて操作し、撮影画像の編集を行う。
【００２４】
図２は、写真シール作成装置２において生成される画像の例を示す図である。
【００２５】
図２の左端に示す編集画像Ｐ１が、編集によって生成される画像である。編集画像Ｐ１は、撮影画像Ｐ１１と前景画像Ｐ１２の各レイヤの画像から構成される。
【００２６】
撮影画像Ｐ１１は、写真シール作成装置２のカメラにより撮影された画像である。図２に示すように、例えば、カメラにより撮影された画像に対してトリミングが施されることによって、略胸から上の範囲が大きく写るアップ画像が撮影画像Ｐ１１として生成される。利用者の全身が写る全身画像も適宜生成される。
【００２７】
図２の例においては、前景画像Ｐ１２は、「Love my friend」の手書き文字の画像とハート型の画像を含む画像とされている。「Love my friend」の手書き文字の画像は、ペンツールを用いて利用者によって入力されたペン画像である。また、ハート型の画像は、スタンプツールを用いて利用者によって入力されたスタンプ画像である。
【００２８】
編集画像Ｐ１は、撮影画像Ｐ１１の上に前景画像Ｐ１２を重ねることによって構成される。
【００２９】
編集画像Ｐ１を構成する画像として背景画像が用いられるようにしてもよい。背景画像は、所定の色の画像や、所定の柄の画像であり、利用者の領域の周りにそのような所定の色や柄を表示するために用いられる。
【００３０】
背景画像の合成が行われる場合、撮影画像Ｐ１１に対してクロマキ処理が施され、利用者の領域である人物領域が抽出される。人物領域からなる撮影画像Ｐ１１の下のレイヤの画像として背景画像が配置されることによって、編集画像Ｐ１が生成される。
【００３１】
写真シール作成装置２が提供する１回のゲームにおいては、複数回の撮影が行われ、例えば５枚といったような複数枚の撮影画像が生成される。また、複数枚の撮影画像のそれぞれを対象として編集が行われ、複数枚の編集画像が生成される。
【００３２】
写真シール作成装置２は、このようにして生成した画像をシール紙に印刷して提供することの他に、携帯端末３上で閲覧可能にすることによって画像を利用者に提供する。写真シール作成装置２から画像管理サーバ１に対しては、ゲームにおいて生成された画像が送信される。
【００３３】
図３は、写真シール作成装置２から画像管理サーバ１に送信される画像の例を示す図である。
【００３４】
図３に示すように、写真シール作成装置２から画像管理サーバ１に対しては、編集作業によって生成された編集済みの画像である編集画像と、編集画像の生成の元になった撮影画像との両方の画像が送信される。撮影が５回行われる場合、５枚の編集画像と５枚の撮影画像の１０枚の画像が、１回のゲームが行われる毎に送信されることになる。
【００３５】
以下、適宜、編集のことを落書きという。撮影画像の編集は、編集画面に表示された編集ツールをタッチペンを用いて選択した後、あたかも落書きのように編集対象の撮影画像上をタッチペンでなぞることによって行われる。編集画像は、落書きが施された、落書きあり画像ということができる。編集が行われる前の撮影画像は、落書きが施されていない、落書きなし画像ということができる。
【００３６】
図１の画像管理サーバ１は、写真シール作成装置２から送信されてきた画像を受信し、所定のURLを割り当てるなどして保存する。画像管理サーバ１は、携帯端末３を操作してアクセスしてきた利用者に対して画像を提供する画像提供サービスを提供する。
【００３７】
画像提供サービスは、携帯端末３上で画像を閲覧したり、携帯端末３に画像をダウンロードしたりすることが可能とされる会員制のサービスである。画像の編集などを、画像提供サービスを利用して行うことができるようにしてもよい。
【００３８】
携帯端末３の利用者は、写真シール作成装置２を利用したゲームの終了後、携帯端末３を操作して画像管理サーバ１にアクセスし、画像提供サービスを利用して画像の閲覧などを行うことになる。
【００３９】
携帯端末３は例えばスマートフォンである。携帯端末３には、画像管理サーバ１が提供する画像提供サービスの画面（サイト）を表示させるためのWebブラウザや専用のアプリケーションがインストールされている。
【００４０】
利用者がWebブラウザや専用のアプリケーションを起動させ、ユーザIDやパスワードを入力するなどしてログイン操作を行った場合、携帯端末３のディスプレイには、画像提供サービスの画面が表示される。画像管理サーバ１から携帯端末３に対しては、画面の表示に用いられる各種の情報が送信される。
【００４１】
スマートフォンではなく、タブレット端末、PCなどの他のデバイスを携帯端末３として用いることも可能である。なお、ユーザIDとしてメールアドレスを用いることも可能とされる。
【００４２】
＜＜画面表示について＞＞
＜第１の表示例＞
図４は、マイページ画面の表示例を示す図である。
【００４３】
マイページ画面は、画像の閲覧に用いられる画面である。マイページ画面は、例えば、Webブラウザや専用のアプリケーションを起動させ、ユーザがログイン操作を行ったときに、画像管理サーバ１から送信されてきた情報に基づいて携帯端末３のディスプレイ２１に表示される。
【００４４】
画像管理サーバ１においては、例えばユーザIDと対応付けて、それぞれの利用者がゲームを行ったときに作成した画像が管理されている。ユーザIDを入力するなどしてログイン操作が行われた場合、ログイン操作を行った利用者が特定され、その利用者の画像の情報が画像管理サーバ１から携帯端末３に対して送信される。画像管理サーバ１から携帯端末３に対して送信される情報にはサムネイル画像も含まれる。
【００４５】
図４のマイページ画面の左上には、画像提供サービスの名前である「PPP LINK」の文字が表示されている。
【００４６】
画像提供サービスの名前の下には、各種の項目の選択に用いられるボタンが並ぶメニュー領域３１が形成される。例えば、マイページ画面を表示させるときに操作されるボタン、美容に関する情報を閲覧するときに操作されるボタンなどがメニュー領域３１に用意される。
【００４７】
メニュー領域３１の下のサムネイル領域３２には、携帯端末３の利用者がゲームを行ったときに作成した画像のサムネイル画像が表示される。
【００４８】
図４の例においては、サムネイル画像Ｐ２１乃至Ｐ２４の４枚の画像が２列に並べてサムネイル領域３２に表示されている。サムネイル画像Ｐ２１，Ｐ２２についてはそれらの全体が表示され、サムネイル画像Ｐ２３，Ｐ２４については、上方の一部が表示されている。
【００４９】
サムネイル画像Ｐ２１乃至Ｐ２４の下方には、さらに多くのサムネイル画像が並べられている。利用者は、ディスプレイ２１の表面に指をあて、スワイプ操作などを行うことによって、サムネイル領域３２の表示範囲を切り替えて他のサムネイル画像を表示させることができる。
【００５０】
図４に示すように、マイページ画面には、落書きあり画像を表すサムネイル画像と、落書きなし画像を表すサムネイル画像が例えば複数枚ずつ混在して表示される。
【００５１】
サムネイル画像Ｐ２１とサムネイル画像Ｐ２２は、それぞれ、同じ撮影画像の落書きあり画像と落書きなし画像を表すサムネイル画像である。また、サムネイル画像Ｐ２３とサムネイル画像Ｐ２４は、それぞれ、同じ撮影画像の落書きあり画像と落書きなし画像を表すサムネイル画像である。
【００５２】
図５は、サムネイル画像の並びを模式的に示す図である。
【００５３】
図５の例においては、サムネイル画像Ｐ３１乃至Ｐ３６が示されている。サムネイル画像Ｐ３１乃至Ｐ３６のうち、サムネイル画像Ｐ３１，Ｐ３３，Ｐ３５，Ｐ３６は落書きあり画像を表すサムネイル画像であり、右列に並ぶサムネイル画像Ｐ３２，Ｐ３４は落書きなし画像を表すサムネイル画像である。
【００５４】
また、横に並ぶサムネイル画像Ｐ３１とサムネイル画像Ｐ３２は、それぞれ、同じ撮影画像の落書きあり画像と落書きなし画像を表す画像であり、サムネイル画像Ｐ３３とサムネイル画像Ｐ３４は、それぞれ、同じ撮影画像の落書きあり画像と落書きなし画像を表す画像である。
【００５５】
なお、落書きなし画像を表すサムネイル画像が３枚以上ある場合、それらの画像は例えば右列に並べて表示される。マイページ画面の左列には落書きあり画像を表すサムネイル画像が並び、右列には落書きなし画像を表すサムネイル画像が並ぶことになる。
【００５６】
落書きなし画像を表すサムネイル画像が左列に並べて表示され、落書きあり画像を表すサムネイル画像が右列に並べて表示されるようにしてもよい。また、落書きあり画像を表すサムネイル画像と落書きなし画像を表すサムネイル画像が同じ列に混在して表示されるようにしてもよい。
【００５７】
このように、落書きあり画像を表すサムネイル画像と落書きなし画像を表すサムネイル画像が同じ画面に混在して表示されるため、利用者は、表示を切り替えることなく、どのような落書きあり画像と落書きなし画像があるのかを確認することができる。
【００５８】
特に、同じ撮影画像の落書きあり画像と落書きなし画像を表すサムネイル画像が横に並べて表示されるため、利用者は、落書きありの状態と落書きなしの状態を見比べることができる。
【００５９】
同じ撮影画像の落書きあり画像と落書きなし画像を表すサムネイル画像が横に並べて表示されるのではなく、落書きなし画像を表すサムネイル画像に続けて、落書きあり画像を表すサムネイル画像が表示されるようにしてもよい。
【００６０】
例えば、写真シール作成装置２における５回の撮影によって、５枚の落書きなし画像と５枚の落書きあり画像が生成されている場合、マイページ画面の１段目には、１回目の撮影画像の落書きなし画像を表すサムネイル画像と、２回目の撮影画像の落書きなし画像を表すサムネイル画像が並べて表示される。
【００６１】
また、マイページ画面の２段目には、３回目の撮影画像の落書きなし画像を表すサムネイル画像と、４回目の撮影画像の落書きなし画像を表すサムネイル画像が並べて表示され、３段目には、５回目の撮影画像の落書きなし画像を表すサムネイル画像と、１回目の撮影画像の落書きあり画像を表すサムネイル画像が並べて表示される。
【００６２】
マイページ画面の４段目には、２回目の撮影画像の落書きあり画像を表すサムネイル画像と、３回目の撮影画像の落書きあり画像を表すサムネイル画像が並べて表示され、５段目には、４回目の撮影画像の落書きあり画像を表すサムネイル画像と、５回目の撮影画像の落書きあり画像を表すサムネイル画像が並べて表示される。
【００６３】
サムネイル画像が２列に並べて表示されるものとしたが、１列に並べて表示されるようにしてもよいし、３列以上の所定の数の列に並べて表示されるようにしてもよい。
【００６４】
なお、サムネイル画像Ｐ３１乃至Ｐ３６の上には、プルダウンボタン４１が設けられる。後述するように、プルダウンボタン４１を用いて、サムネイル領域３２に表示させるサムネイル画像の種類を切り替えることが可能とされる。
【００６５】
以下、適宜、落書きあり画像を表すサムネイル画像を、単に、落書きありサムネイル画像という。また、落書きなし画像を表すサムネイル画像を、単に、落書きなしサムネイル画像という。
【００６６】
図６は、落書きあり画像の拡大表示の例を示す図である。
【００６７】
例えば、図５のマイページ画面においてサムネイル画像Ｐ３１がタップされた場合（押下された場合）、図６に示すように、サムネイル画像Ｐ３１が、落書きあり画像を表す画像Ｐ３１’として拡大して表示される。
【００６８】
利用者は、拡大表示された画像Ｐ３１’を例えば長押しすることによって、サムネイル画像Ｐ３１が表す編集画像をダウンロードすることができる。画像Ｐ３１’の下には、そのことを表すメッセージが表示されている。ダウンロードされた画像は、携帯端末３のメモリに記憶され、保存される。
【００６９】
図７は、落書きなし画像の拡大表示の例を示す図である。
【００７０】
例えば、図５のマイページ画面においてサムネイル画像Ｐ３２がタップされた場合、図７に示すように、サムネイル画像Ｐ３２が、落書きなし画像を表す画像Ｐ３２’として拡大して表示される。
【００７１】
利用者は、拡大表示された画像Ｐ３２’を長押しすることによって、サムネイル画像Ｐ３２が表す撮影画像をダウンロードすることができる。
【００７２】
このように、利用者は、落書きあり画像を表すサムネイル画像と落書きなし画像を表すサムネイル画像が混在する画面から、いずれの画像をダウンロードするかを容易に選択することができる。サムネイル画像をタップしたときの表示は、後述する各表示例においても同様である。
【００７３】
図８は、マイページ画面の表示の切り替えの第１の例を示す図である。
【００７４】
図８の吹き出しに示すように、プルダウンボタン４１を操作することによって、「全てのプリ」、「らくがきアリ」、「プリ機別」、「動画」、「フォト」の中からいずれかの表示の種類を選択することができるようになされている。プルダウンボタン４１を押下したとき、プルダウンボタン４１の下には、それぞれの表示の一覧が表示される。
【００７５】
「全てのプリ」は、落書きありサムネイル画像と落書きなしサムネイル画像が混在する表示を表す。例えば、新しいサムネイル画像が、より上方に表示される。図８の左側に示す表示は「全てのプリ」での表示である。
【００７６】
「らくがきアリ」は、落書きありサムネイル画像だけの表示を表す。
【００７７】
「プリ機別」は、利用者が使った写真シール作成装置の機種毎にまとめてサムネイル画像を表示させることを表す。画像管理サーバ１においては、それぞれの画像に関する情報として、作成に用いられた写真シール作成装置の機種を表す情報も管理されている。
【００７８】
「動画」は所定の動画像のサムネイル画像を表示させることを表し、「フォト」は所定の静止画像のサムネイル画像を表示させることを表す。
【００７９】
例えば、落書きありサムネイル画像と落書きなしサムネイル画像が混在する図８の左側の状態で、プルダウンボタン４１を用いて「らくがきアリ」が選択された場合、矢印＃１の先に示すように、マイページ画面には、落書きありサムネイル画像だけが表示される。
【００８０】
図８の右側に示すサムネイル画像Ｐ５１乃至Ｐ５６は、落書きありサムネイル画像である。サムネイル画像Ｐ５１乃至Ｐ５６には、図８の左側に示すサムネイル画像Ｐ３１，Ｐ３３，Ｐ３５，Ｐ３６と同じ画像も含まれる。サムネイル画像Ｐ５１乃至Ｐ５６の下にも、落書きなしサムネイル画像は表示されない。
【００８１】
例えば、図８の右側の状態でサムネイル画像Ｐ５１が選択された場合、マイページ画面には、サムネイル画像Ｐ５１が拡大表示される。このような画面からも、利用者は落書きあり画像をダウンロードすることができる。
【００８２】
落書きありサムネイル画像だけが表示された図８の右側の状態で「全てのプリ」が選択された場合、マイページ画面の表示は、図８の左側に示す表示に戻ることになる。
【００８３】
図８のマイページ画面は、落書きありサムネイル画像と落書きなしサムネイル画像が混在する表示と、落書きありサムネイル画像だけの表示とを切り替え可能な画面となる。
【００８４】
＜第２の表示例＞
図９は、マイページ画面の表示の切り替えの第２の例を示す図である。
【００８５】
図９の例においては、プルダウンボタン４１を操作することによって、「全てのプリ」、「らくがきナシ」、「プリ機別」、「動画」、「フォト」の中からいずれかの表示の種類を選択することができるようになされている。「らくがきナシ」は、落書きなしサムネイル画像だけの表示を表す。他の表示は図８を参照して説明した表示と同じである。
【００８６】
例えば、落書きありサムネイル画像と落書きなしサムネイル画像が混在する図９の左側の状態で、プルダウンボタン４１を用いて「らくがきナシ」が選択された場合、矢印＃２の先に示すように、マイページ画面には、落書きなしサムネイル画像だけが表示される。
【００８７】
図９の右側に示すサムネイル画像Ｐ６１乃至Ｐ６６は、落書きなし画像を表すサムネイル画像である。サムネイル画像Ｐ６１乃至Ｐ６６には、図９の左側に示すサムネイル画像Ｐ３２，Ｐ３４と同じ画像も含まれる。サムネイル画像Ｐ６１乃至Ｐ６６の下にも、落書きありサムネイル画像は表示されない。
【００８８】
例えば、図９の右側の状態でサムネイル画像Ｐ６１が選択された場合、マイページ画面には、サムネイル画像Ｐ６１が拡大表示される。このような画面からも、利用者は落書きなし画像をダウンロードすることができる。
【００８９】
落書きなしサムネイル画像だけが表示された図９の右側の状態で「全てのプリ」が選択された場合、マイページ画面の表示は、図９の左側に示す表示に戻ることになる。
【００９０】
図９のマイページ画面は、落書きありサムネイル画像と落書きなしサムネイル画像が混在する表示と、落書きなしサムネイル画像だけの表示とを切り替え可能な画面となる。
【００９１】
＜第３の表示例＞
図１０は、マイページ画面の表示の切り替えの第３の例を示す図である。
【００９２】
図１０の例においては、落書きありサムネイル画像と落書きなしサムネイル画像が混在する表示から、落書きなしサムネイル画像だけの表示に切り替えることも、落書きありサムネイル画像だけの表示に切り替えることも可能とされる。
【００９３】
図１０の中央の画面においては、プルダウンボタン４１の下に、ボタン４２Ａとボタン４２Ｂが設けられている。ボタン４２Ａの内側には「らくがきアリを見る」の文字が表示され、ボタン４２Ｂの内側には「らくがきナシを見る」の文字が表示されている。
【００９４】
「らくがきアリを見る」の文字が表示されたボタン４２Ａは、落書きありサムネイル画像だけを表示させるときに操作されるボタンである。一方、「らくがきナシを見る」の文字が表示されたボタン４２Ｂは、落書きなしサムネイル画像だけを表示させるときに操作されるボタンである。
【００９５】
例えば、落書きありサムネイル画像と落書きなしサムネイル画像が混在する図１０の中央の状態でボタン４２Ｂが操作された場合、矢印＃３の先に示すように、マイページ画面には、落書きなしサムネイル画像だけが表示される。
【００９６】
図１０の右側の画面において、ボタン４２Ａ，４２Ｂの位置には、「全部表示に戻る」の文字が表示されたボタン４３が表示される。ボタン４３は、落書きありサムネイル画像と落書きなしサムネイル画像が混在する表示に戻るときに操作されるボタンである。
【００９７】
図１０の右側の状態でボタン４３が操作された場合、矢印＃４の先に示すように、マイページ画面の表示は、落書きありサムネイル画像と落書きなしサムネイル画像が混在する表示に戻る。
【００９８】
一方、落書きありサムネイル画像と落書きなしサムネイル画像が混在する図１０の中央の状態でボタン４２Ａが選択された場合、矢印＃５の先に示すように、マイページ画面には、落書きありサムネイル画像だけが表示される。
【００９９】
図１０の左側の画面において、ボタン４２Ａ，４２Ｂの位置には、「全部表示に戻る」の文字が表示されたボタン４３が表示される。
【０１００】
図１０の左側の状態でボタン４３が操作された場合、矢印＃６の先に示すように、マイページ画面の表示は、落書きありサムネイル画像と落書きなしサムネイル画像が混在する表示に戻る。
【０１０１】
図１０のマイページ画面は、落書きありサムネイル画像と落書きなしサムネイル画像が混在する表示と、落書きなしサムネイル画像だけの表示、または、落書きありサムネイル画像だけの表示とを切り替え可能な画面となる。
【０１０２】
図１０の左側の画面において、ボタン４３とともに、「らくがきナシを見る」の文字が表示されたボタン４２Ｂが表示されるようにしてもよい。
【０１０３】
この場合、マイページ画面の表示は、ボタン４３が操作されたときには、落書きありサムネイル画像と落書きなしサムネイル画像が混在する表示に切り替わり、ボタン４２Ｂが操作されたときには、落書きなしサムネイル画像だけの表示に切り替わる。
【０１０４】
＜第４の表示例＞
図１１は、マイページ画面の表示の切り替えの第４の例を示す図である。
【０１０５】
図１１の例においては、落書きなしサムネイル画像だけが、マイページ画面とは異なる画面に表示されるようになされている。
【０１０６】
図１１の左側に示すように、プルダウンボタン４１の右隣には、「らくがきナシを見る」の文字が表示されたボタン４４が表示されている。
【０１０７】
例えば、図１１の左側の状態でボタン４４が操作された場合、矢印＃７の先に示すように、マイページ画面とは別の画面として、「らくがきナシ一覧」の画面が表示される。すなわち、マイページ画面に代えて、「らくがきナシ一覧」の画面が表示される。
【０１０８】
「らくがきナシ一覧」の画面には、落書きなしサムネイル画像だけが表示される。図１１の例においては、落書きなしサムネイル画像Ｐ６１乃至Ｐ６６が表示されている。
【０１０９】
図１１のマイページ画面も、落書きありサムネイル画像と落書きなしサムネイル画像が混在する表示と、落書きなしサムネイル画像だけの表示とを切り替え可能な画面となる。
【０１１０】
例えば、「らくがきナシ一覧」の画面が表示されている状態で、所定の位置に用意されたマイページボタンが操作された場合、「らくがきナシ一覧」の画面に代えてマイページ画面の表示に戻る。
【０１１１】
＜第５の表示例＞
図１２は、マイページ画面の表示の切り替えの第５の例を示す図である。
【０１１２】
図１２の例においては、落書きなしサムネイル画像だけが、マイページ画面に重ねてポップアップ表示されるようになされている。
【０１１３】
図１２の左側に示すように、プルダウンボタン４１の右隣には、「らくがきナシを見る」の文字が表示されたボタン４４が表示されている。
【０１１４】
例えば、図１２の左側の状態でボタン４４が操作された場合、矢印＃８の先に示すように、縦長長方形の「らくがきナシ一覧」のウィンドウが、マイページ画面に重畳してポップアップ表示される。
【０１１５】
「らくがきナシ一覧」のウィンドウには、落書きなしサムネイル画像だけが表示される。図１２の例においては、落書きなし画像を表すサムネイル画像Ｐ６１乃至Ｐ６６が並べて表示されている。なお、「らくがきナシ一覧」のウィンドウの背景となるマイページ画面は、グレーアウトした状態で表示される。
【０１１６】
図１２のマイページ画面も、落書きありサムネイル画像と落書きなしサムネイル画像が混在する表示と、落書きなしサムネイル画像だけの表示とを切り替え可能な画面となる。
【０１１７】
例えば、「らくがきナシ一覧」のウィンドウが表示されている状態で、右上端の閉じるボタンが操作された場合、「らくがきナシ一覧」のウィンドウの表示は消え、マイページ画面が表示される。
【０１１８】
図１２の左側のマイページ画面において１枚のサムネイル画像が選択された場合、その選択されたサムネイル画像が落書きなし画像を表すサムネイル画像であるときには、落書きなしサムネイル画像のみを含むウィンドウがポップアップ表示され、落書きあり画像を表すサムネイル画像であるときには、落書きありサムネイル画像のみを含むウィンドウがポップアップ表示されるようにしてもよい。
【０１１９】
＜第６の表示例＞
図１３は、マイページ画面の表示の切り替えの第６の例を示す図である。
【０１２０】
図１３の例においては、落書きありサムネイル画像を優先的に表示させたり、落書きなしサムネイル画像を優先的に表示させたりするといったように、ソートの条件（表示順の条件）を指定することができるようになされている。
【０１２１】
図１３の左側の吹き出しに示すように、プルダウンボタン４５を操作することによって、「らくがきアリを優先的に表示」、「らくがきナシを優先的に表示」の中からいずれかの表示の種類を選択することが可能とされる。プルダウンボタン４５を押下したとき、プルダウンボタン４５の下には、２つの種類が表示される。
【０１２２】
「らくがきアリを優先的に表示」は、落書きありサムネイル画像を、落書きなしサムネイル画像より上方に表示させる表示を表す。「らくがきナシを優先的に表示」は、落書きなしサムネイル画像を、落書きありサムネイル画像より上方に表示させる表示を表す。
【０１２３】
プルダウンボタン４５の下には、条件を決定するときに操作される決定ボタン４６が設けられる。決定ボタン４６の内側には「この条件で表示する」の文字が表示される。
【０１２４】
例えば、落書きありサムネイル画像と落書きなしサムネイル画像が混在する図１３の左側の状態で、プルダウンボタン４５を用いて「らくがきアリを優先的に表示」が選択され、さらに、決定ボタン４６が操作された場合、矢印＃９の先に示すように、マイページ画面には、落書きありサムネイル画像が優先的に表示される。決定ボタン４６を操作することなく、プルダウンボタン４５を用いて「らくがきアリを優先的に表示」が選択された時点で、落書きありサムネイル画像が優先的に表示されるようにしてもよい。
【０１２５】
図１３の右側の例において、落書きなしサムネイル画像は、落書きあり画像を表す最後のサムネイル画像以降に並べて表示される。
【０１２６】
一方、図１３の左側の状態で、プルダウンボタン４５を用いて「らくがきナシを優先的に表示」が選択され、さらに、決定ボタン４６が操作された場合、マイページ画面には、落書きなしサムネイル画像が優先的に表示される。
【０１２７】
この場合、落書きありサムネイル画像は、落書きなし画像を表す最後のサムネイル画像以降に並べて表示される。
【０１２８】
このように、図１３のマイページ画面は、落書きありサムネイル画像と落書きなしサムネイル画像の並び順を変更可能な画面となる。落書きなしサムネイル画像を優先させることにより、落書きなしサムネイル画像だけを表示させることも可能となる。
【０１２９】
以上のように、落書きありサムネイル画像と落書きなしサムネイル画像が混在する表示と、落書きなしサムネイル画像または落書きなしサムネイル画像だけの表示とを切り替え可能なマイページ画面の表示として、各種の表示を採用することが可能である。
【０１３０】
＜＜画像管理サーバの構成と動作＞＞
＜画像管理サーバの構成＞
図１４は、画像管理サーバ１のハードウェア構成例を示すブロック図である。
【０１３１】
図１４に示すように、画像管理サーバ１はコンピュータから構成される。複数台のコンピュータから画像管理サーバ１が構成されるようにしてもよい。画像管理サーバ１が複数台のコンピュータから構成される場合、それぞれのコンピュータが協働することにより、画像提供サービスを提供するための各種の処理が実現される。
【０１３２】
CPU(Central Processing Unit)１０１、ROM(Read Only Memory)１０２、RAM(Random Access Memory)１０３は、バス１０４により相互に接続される。
【０１３３】
バス１０４には、さらに、入出力インタフェース１０５が接続される。入出力インタフェース１０５には、入力部１０６、出力部１０７、記憶部１０８、通信部１０９、およびドライブ１１０が接続される。
【０１３４】
入力部１０６は、キーボード、マウスなどより構成される。出力部１０７は、ディスプレイなどより構成される。
【０１３５】
記憶部１０８は、ハードディスクや不揮発性のメモリなどより構成される。記憶部１０８は、CPU１０１が実行するプログラム、写真シール作成装置２から送信されてきた画像などの、画像提供サービスを提供するために用いられる各種の情報を記憶する。
【０１３６】
通信部１０９は、インターネット１１に対するインタフェースである。通信部１０９は、写真シール作成装置２と通信を行い、写真シール作成装置２から送信されてきた画像を受信する。また、通信部１０９は、携帯端末３との間で通信を行い、画面表示に用いる情報、ダウンロードすることが選択された画像データなどの各種の情報を携帯端末３に送信する。
【０１３７】
ドライブ１１０は、リムーバブルメディア１１１に対するデータの書き込み、リムーバブルメディア１１１からのデータの読み出しを制御する。
【０１３８】
以上のように構成されるコンピュータでは、CPU１０１が、例えば、記憶部１０８に記憶されているプログラムをRAM１０３にロードして実行することにより、画像提供サービスを実現するための処理が行われる。
【０１３９】
図１５は、画像管理サーバ１の機能構成例を示すブロック図である。
【０１４０】
図１５に示すように、画像管理サーバ１においては、画像取得部１５１、画像管理部１５２、表示制御部１５３、および画像提供部１５４が実現される。図１５に示す機能部のうちの少なくとも一部は、CPU１０１により所定のプログラムが実行されることによって実現される。
【０１４１】
画像取得部１５１は、写真シール作成装置２から送信され、通信部１０９において受信された画像を、画像管理用の情報とともに取得する。写真シール作成装置２からは、例えば、写真シール作成装置２の識別情報、利用者に対して発行されたシールID、携帯端末３のメールアドレスなどの画像管理用の情報とともに、落書きあり画像と落書きなし画像が送信されてくる。
【０１４２】
利用者に対して発行されたシールIDは１回のゲーム毎に写真シール作成装置２により発行されるIDであり、シール紙の縁などに印刷される。シール紙を受け取った利用者は、画像管理サーバ１に対するログイン操作を行った後、シール紙の縁を見てシールIDを入力する。シールIDは、ログイン操作を行った利用者が撮影した画像を特定するために画像管理サーバ１において用いられる。
【０１４３】
画像取得部１５１は、落書きあり画像、落書きなし画像とともに、画像管理用の情報を画像管理部１５２に出力する。
【０１４４】
画像管理部１５２は、画像取得部１５１から供給された画像を、画像管理用の情報と紐付けて記憶部１０８に記憶させ、管理する。
【０１４５】
また、画像管理部１５２は、それぞれの利用者のユーザID、パスワードなどの情報を管理する。これらの情報は、会員登録時などに利用者により入力された情報である。
【０１４６】
画像管理部１５２は、ある利用者によりログイン操作が行われ、シールIDが入力された場合、入力されたシールIDと紐付けて管理している画像を、ログインした利用者の画像として特定する。画像管理サーバ１においては、このようにして、それぞれの利用者の画像が特定され、それ以降、ユーザIDなどの情報などとともに紐付けて管理される。
【０１４７】
利用者は、シールIDを入力した後、ゲームを行うことによって得られた例えば１０枚の画像（落書きあり画像と落書きなし画像それぞれ５枚）の中から、所定の枚数の画像をマイページ画面に表示させる画像として選択させることができるようになされている。
【０１４８】
例えば１０枚の画像のうち、選択された画像だけが画像管理サーバ１において保存され、マイページ画面の表示に用いられる。マイページ画面に表示される画像は、ゲームを行うことによって得られた画像のうちの、保存することが選択された画像となる。
【０１４９】
どの画像が保存する画像として選択されたのかについても、画像管理部１５２により管理される。選択されなかった画像については、１週間などの所定の期間経過後に消去される。
【０１５０】
画像管理部１５２は、ログイン操作を行った利用者の画像を表示制御部１５３に出力する。また、画像管理部１５２は、ダウンロードすることが選択された画像を画像提供部１５４に出力する。
【０１５１】
表示制御部１５３は、上述したような画面を、画像管理部１５２から供給された画像などに基づいて携帯端末３に表示させる。また、表示制御部１５３は、携帯端末３の画面表示を、携帯端末３の利用者の操作などに応じて制御する。
【０１５２】
画像提供部１５４は、携帯端末３において所定の画像が選択され、ダウンロードすることが要求された場合、ダウンロードすることが要求された画像を画像管理部１５２から取得する。
【０１５３】
画像提供部１５４は、ダウンロードすることが要求された画像を通信部１０９を制御して携帯端末３に送信し、利用者に提供する。上述したような画面から、落書きあり画像と落書きなし画像のうちの少なくともいずれかが画像提供部１５４により提供される。
【０１５４】
＜画像管理サーバの動作＞
ここで、図１６のフローチャートを参照して、画像提供サービスを提供する画像管理サーバ１の処理について説明する。
【０１５５】
図１６の処理は、例えば、ある利用者によりログイン操作が行われ、ログイン操作を行った利用者が画像管理部１５２により特定されたときに開始される。画像管理部１５２から表示制御部１５３に対しては、画像などの、マイページ画面の表示に用いる情報が出力される。
【０１５６】
ステップＳ１において、表示制御部１５３は、画像などの各種の情報をログインした利用者の携帯端末３に送信し、上述したようなマイページ画面を携帯端末３のディスプレイ２１に表示させる。
【０１５７】
ステップＳ２において、表示制御部１５３は、携帯端末３に表示させたマイページ画面の表示を、利用者の操作に応じて切り替える。
【０１５８】
ステップＳ３において、画像提供部１５４は、ダウンロードすることが利用者により選択された画像を携帯端末３に送信し、利用者に提供する。その後、画像管理サーバ１の処理は終了となる。
【０１５９】
落書きありサムネイル画像と落書きなしサムネイル画像が混在して表示されるマイページ画面から、それぞれの画像を見比べることができるため、利用者は、ダウンロードする画像を容易に選択することができる。
【０１６０】
＜＜表示の変形例＞＞
落書きありサムネイル画像と落書きなしサムネイル画像が混在して表示される場合のそれぞれのサムネイル画像の表示方法として各種の方法を採用することが可能である。
【０１６１】
１．表示サイズ
落書きなし画像を利用者に対してアピールしたい場合、落書きなしサムネイル画像を落書きありサムネイル画像よりも大きく表示させるようにしてもよい。
【０１６２】
一方、落書きあり画像を利用者に対してアピールしたい場合、落書きありサムネイル画像を落書きなしサムネイル画像よりも大きく表示させるようにしてもよい。
【０１６３】
２．色相・明度・彩度
落書きなし画像を利用者に対してアピールしたい場合、落書きなしサムネイル画像を、落書きありサムネイル画像と異なる色相の色で表示させるようにしてもよい。例えば、落書きなしサムネイル画像をカラー表示し、落書きありサムネイル画像をグレー表示させるようにすることが可能である。
【０１６４】
また、落書きなし画像を利用者に対してアピールしたい場合、落書きなしサムネイル画像を、落書きありサムネイル画像と異なる明度・彩度の色で表示させるようにしてもよい。例えば、落書きなしサムネイル画像の色を、撮影画像の色と同じ明度・彩度の色とし、落書きありサムネイル画像の色を、編集画像の色とは異なる明度・彩度の色とすることが可能である。より具体的には、落書きありサムネイル画像の色の明度・彩度を、編集画像の色と比べて極端に上げたり下げたりしてもよい。
【０１６５】
３．解像度
落書きなし画像を利用者に対してアピールしたい場合、落書きなしサムネイル画像を、落書きありサムネイル画像より高い解像度で表示させるようにしてもよい。
【０１６６】
４．画像処理
落書きなし画像を利用者に対してアピールしたい場合、落書きなしサムネイル画像を、落書きありサムネイル画像に施す処理と異なる画像処理を施して表示させるようにしてもよい。例えば、落書きなしサムネイル画像に対しては、撮影画像に施す処理と同じ画像処理を施し、落書きありサムネイル画像に対しては、編集画像に施す処理とは異なる画像処理を施すことが可能である。より具体的には、落書きありサムネイル画像に対しては、画像の仕上がり具合をあまり確認できなくなるようなぼかし処理等の画像処理が施される。
【０１６７】
以上のような表示サイズ、色相・明度・彩度、解像度、画像処理の内容について、個別に、またはそれらの２以上を組み合わせて、予め設定することができるようにしてもよい。
【０１６８】
５．動的に切り替え
１枚のサムネイル画像が、あるタイミングでは落書きなしの状態で表示され、次のタイミングでは落書きありの状態で表示されるといったように、落書きなしの表示と落書きありの表示とを動的に切り替えるようにしてもよい。例えば、利用者により押下されたタイミングで動的表示が停止され、これにより、静止画として確認することが可能となる。
【０１６９】
＜＜画像提供サービスの詳細＞＞
画像提供サービスの詳細について説明する。
【０１７０】
＜会員登録について＞
ここで、画像提供サービスを利用するための会員の種別について説明する。上述したように、画像管理サーバ１が提供する画像提供サービスを利用するためには、利用者は会員登録を行うことがある。
【０１７１】
会員の種別には、有料会員、無料会員、非会員がある。
【０１７２】
１．有料会員
有料会員は、暫定のアドレスではないメールアドレスで画像取得サイト（画像提供サービス）にログインした状態で、かつ、有料会員の登録をしている利用者である。有料会員には、例えば、500円／月の会員と300円／月の会員がある。
【０１７３】
300円／月の会員は、落書きあり画像を閲覧したりダウンロードしたりすることが可能とされる。
【０１７４】
一方、500円／月の会員には、落書きあり画像だけでなく、落書きなし画像をも、閲覧したりダウンロードしたりすることが可能とされる。図４等を参照して説明した表示は、500円／月の会員用の表示となる。落書きあり画像だけでなく、落書きなし画像をも閲覧したりダウンロードしたりする機能が、300円／月の会員に対して提供されるようにしてもよい。
【０１７５】
500円／月の会員は、適宜、300円／月の会員には提供されない、クーポン券・美容情報が配信されたりする。
【０１７６】
２．無料会員
無料会員は、暫定のアドレスではないメールアドレスで画像取得サイトにログインした状態で、かつ、有料会員の登録をしていない利用者である。無料会員は、ゲームで作成した落書きあり画像を１枚だけマイページ画面に保存したり、ダウンロードしたりすることが可能とされる。
【０１７７】
３．非会員
非会員は、画像取得サイトにログインしていない利用者である。
【０１７８】
＜画像の保存枚数の上限について＞
マイページ画面に保存したり、携帯端末３にダウンロードしたりすることができる画像の枚数に上限が設定されるようにしてもよい。
【０１７９】
例えば、上限が３枚として設定されている場合、３枚の画像をマイページ画面に保存することが選択されたときに上限に達したと判定される。この場合、３枚以外の画像についてはマイページ画面に保存できない。また、３枚の画像を保存することが１度選択されたものの、１枚を削除した場合、上限に達していないと判定され、あと１枚だけ保存することが可能とされる。
【０１８０】
＜未保存画像＞
図４等を参照して説明したマイページ画面は利用者専用の画面である。マイページ画面に保存していない画像がある場合、マイページ画面の上部に、未保存の画像の枚数を表す数字が表示されるようにしてもよい。
【０１８１】
なお、画像の保存を選択することができる期間は例えば１週間であるため、１週間以内に保存を行わないと、未保存の画像の枚数を表す数字は減少する。
【０１８２】
＜ダウンロード期限の表示＞
ダウンロード期限を表す情報がサムネイル画像上に表示されるようにしてもよい。ダウンロード期限は、ダウンロードすることが可能な期限である。ダウンロード期限が経過するまでの間、利用者はダウンロードすることが可能とされる。
【０１８３】
また、落書きあり画像のダウンロード期限と落書きなし画像のダウンロード期限が異なる期限として設定されるようにしてもよい。落書きなし画像を利用者に対してアピールしたい場合、落書きなし画像のダウンロード期限は、落書きあり画像のダウンロード期限より長く設定される。
【０１８４】
＜専用のアプリケーションを用いる例＞
画像提供サービスが、汎用のWebブラウザではなく専用のアプリケーションによって利用可能となるようにしてもよい。この場合、利用者は、専用のアプリケーションを携帯端末３にインストールし、画像提供サービスを利用することになる。
【０１８５】
図１７は、携帯端末３の構成例を示すブロック図である。
【０１８６】
図１７に示すように、携帯端末３は、ディスプレイ２１の他に、制御部２０１、通信部２０２、メモリ２０３、および操作部２０４が設けられる。
【０１８７】
制御部２０１は、CPU，ROM，RAMなどよりなり、所定のプログラムを実行することによって、携帯端末３の全体の動作を制御する。
【０１８８】
制御部２０１においては、画像提供サービスを利用するための専用のアプリケーションである画像管理アプリケーションが実行されることにより、表示制御部２０１Ａが実現される。表示制御部２０１Ａは、通信部２０２を制御して画像管理サーバ１と通信を行い、画像管理サーバ１から送信されてきた情報に基づいて、上述したようなマイページ画面をディスプレイ２１に表示させる。
【０１８９】
通信部２０２は、アンテナから供給された信号の復調処理を行い、復調処理を行うことによって得られた情報を制御部２０１に出力する。また、通信部２０２は、制御部２０１から供給された情報に対して変調処理を施し、得られた信号をアンテナから送信する。
【０１９０】
メモリ２０３はフラッシュメモリなどよりなり、端末ID、メールアドレス、画像管理サーバ１からダウンロードされた画像などの各種の情報を記憶する。メモリ２０３には、制御部２０１が実行する各種のアプリケーションが記憶される。
【０１９１】
操作部２０４は、各種のボタンやディスプレイ２１に重ねて設けられたタッチパネルより構成され、利用者の操作の内容を表す信号を制御部２０１に出力する。
【０１９２】
ディスプレイ２１はLCDなどよりなり、各種の情報を表示する。例えばディスプレイ２１には、画像管理サーバ１から送信され、通信部２０２において受信された情報に基づいて上述したような画面が表示される。
【０１９３】
＜その他の例＞
画像管理サーバ１には、画像保存判定データベース、会員情報データベース、画像取得データベースが構築される。
【０１９４】
・画像保存判定データベース
画像保存判定データベースには、撮影画像を保存するか否かの判定内容が保存される。画像保存判定データベースでは、画像保存の有無、アカウントID（ユーザID）、パスワード、メールアドレス、シールID、撮影日時等が管理される。
【０１９５】
シールIDは１５桁の英数字で構成される。１５桁の英数字には、機器ID、ゲーム開始時間、ゲームカウントの情報が含まれる。機器IDは、前２桁が筐体名、後ろ３桁が英数字で構成される。ゲームカウントは１日を通じてのゲームカウントで表される。１回のゲームにおいて２つのシールIDが生成される。また、複数枚の撮影画像を１セットとして、この１セットに対してシールIDが付与されるようにしてもよい。
【０１９６】
・会員情報データベース
会員情報データベースには、会員登録によって登録された利用者情報が保存される。利用者情報には、メールアドレス、アカウントID、パスワード、年齢、性別、地域、メールアドレス、ニックネーム等が含まれる。
【０１９７】
さらに会員属性が管理されるようにしてもよい。会員属性が管理されることにより、無料会員・非会員の画面は、有料課金の決済ページ（ウェブサイト、アプリのいずれも含む）に遷移する。有料会員の画面は、プラス会員（500円／月の会員）の決済ページ（ウェブサイト、アプリのいずれも含む）に遷移する。有料会員の画面がプラス会員の決済ページに遷移しないようにしてもよい。
【０１９８】
・画像取得データベース
画像取得データベースには、落書きなし画像、落書きあり画像を含む複数の画像、シールIDが保存される。
【０１９９】
・プログラムについて
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、汎用のパーソナルコンピュータなどにインストールされる。
【０２００】
インストールされるプログラムは、光ディスク（CD-ROM(Compact Disc-Read Only Memory)，DVD(Digital Versatile Disc)等）や半導体メモリなどよりなる図１４に示されるリムーバブルメディア１１１に記録して提供される。また、ローカルエリアネットワーク、インターネット、デジタル放送といった、有線または無線の伝送媒体を介して提供されるようにしてもよい。プログラムは、ROM１０２や記憶部１０８に、あらかじめインストールしておくことができる。
【０２０１】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【符号の説明】
【０２０２】
１  写真シール作成装置，  ２  画像管理サーバ，  ３  携帯端末，  １５１  画像取得部，  １５２  画像管理部，  １５３  表示制御部，  １５４  画像提供部
【図１】
2019213110.tif 000003
【図２】
2019213110.tif 000004
【図３】
2019213110.tif 000005
【図４】
2019213110.tif 000006
【図５】
2019213110.tif 000007
【図６】
2019213110.tif 000008
【図７】
2019213110.tif 000009
【図８】
2019213110.tif 000010
【図９】
2019213110.tif 000011
【図１０】
2019213110.tif 000012
【図１１】
2019213110.tif 000013
【図１２】
2019213110.tif 000014
【図１３】
2019213110.tif 000015
【図１４】
2019213110.tif 000016
【図１５】
2019213110.tif 000017
【図１６】
2019213110.tif 000018
【図１７】
2019213110.tif 000019